(57)【要約】【課題】作業効率が良く、長期にわたって密閉状態を維持できる衛星放送受信用コンバータを提供する。【解決手段】本発明の衛星放送受信用コンバータは、突部８ｅを熱変形させることによって空気流出用の小孔８ｄが塞がれることによって、接着剤９の充填と乾燥が１回で済み、作業時間が従来に比して短くできて、作業効率の良好なものが得られ、また、外部環境によってケース７，８の内部が膨張、収縮するが、この時、小孔８ｄの箇所が熱変形された突部８ｅで塞がれているため、従来の接着剤に比して強度が強く、長期にわたって、通気孔が生じない密閉状態を提供できる。【選択図】　　　　図２
2004014765.tif 000002
【特許請求の範囲】
【請求項１】
コネクタを設けたコンバータ本体部と、このコンバータ本体部を内部に密閉した状態で収納する第１，第２のケースとを備え、前記コネクタを外部に導出するための少なくとも導出箇所を除く前記第１，第２のケースの合わせ部において、前記第１，第２のケースの一方には溝部が設けられると共に、前記第１，第２のケースの他方には前記溝部内に突入する突壁が設けられ、前記溝部内に充填された接着剤よって前記突壁が前記溝部に接着されて、前記第１，第２のケースの内部を密閉状態にし、前記第１，第２のケースの少なくとも一方には、空気流出用の小孔と、この小孔の近傍に設けられた突部を有し、前記突部を熱変形させることによって前記小孔が塞がれたことを特徴とする衛星放送受信用コンバータ。
【請求項２】
前記突部が筒状部で形成されたことを特徴とする請求項１記載の衛星放送受信用コンバータ。
【請求項３】
前記突壁の先端部が楔状に形成されたことを特徴とする請求項１、又は２記載の衛星放送受信用コンバータ。
【請求項４】
前記溝部が前記第１のケースに形成されると共に、前記突壁が前記第２のケースに形成されたことを特徴とする請求項１から３の何れかに記載の衛星放送受信用コンバータ。
【請求項５】
前記第１のケースは、前記第２のケース内に位置する側壁に複数の孔を有すると共に、前記第２のケースの側壁の内部には、複数の突起を有し、この突起が前記孔にスナップ係合するようにしたことを特徴とする請求項４記載の衛星放送受信用コンバータ。
【発明の詳細な説明】
【０００１】
【発明の属する技術分野】
本発明は屋外に設置されるものに使用して好適な衛星放送受信用コンバータに関する。
【０００２】
【従来の技術】
従来の衛星放送受信用コンバータの構成を図３，図４に基づいて説明すると、金属板を折り曲げして形成された枠体５１は、上下が開放したロ字状で構成されている。
金属板からなる蓋体５２は、枠体５１の一方の開放部を塞ぐように、枠体５１に掛け止めして取り付けられている。
【０００３】
プリント基板からなる回路基板５３は、一面側のほぼ全面にわたって形成された接地用パターン５４を有すると共に、ここでは図示しないが、他面側に配線パターンが設けられ、この配線パターンには、種々の電気部品を搭載して所望の受信回路が形成されたものとなっている。
【０００４】
そして、このような回路基板５３は、電気部品（受信回路）を枠体５１内に位置した状態で、ロ字状の枠体５１の他方の開放部を塞ぐように、枠体５１に取り付けられる。
回路基板５３が枠体５１に取り付けられた際、接地用パターン５４は枠体５１から露出して、枠体５１内をシールドし、その結果、受信回路は、枠体５１，蓋体５２，及び接地用パターン５４によって電気的にシールドされた状態となっている。
【０００５】
同軸型のコネクタ５５は、枠体５１から外方に突出した状態で枠体５１に取り付けられ、このコネクタ５５には受信回路が接続されている。
フィードホーン５６は、回路基板５３から垂直状態で接地用パターン５４に半田付けされて取り付けられおり、上記のような構成によってコンバータ本体部Ｈ２が形成されている。
【０００６】
そして、このようなコンバータ本体部Ｈ２は、衛星電波をフィードホーン５６から受けて、受信回路で処理された信号をコネクタ５５から取り出すようになると共に、このような構成のコンバータ本体部Ｈ２は、枠体５１の内部の密閉度が悪く、このため、屋外で使用する際に雨等の防水を確実にする必要がある。
【０００７】
合成樹脂の成型品からなる第１のケース５７は、上壁５７ａと、この上壁５７ａの周囲から下方に延びる側壁５７ｂと、この側壁５７ｂの下端部において、コネクタ５５を外部に導出するための少なくとも導出箇所（図示せず）を除く合わせ部に設けられた溝部５７ｃと、上壁５７ａから垂直方向に突出し、内部が空洞となった膨出部５７ｄとを有する。
【０００８】
そして、この第１のケース５７は、フィードホーン５６を膨出部５７ｄ内に収納した状態で、コンバータ本体部Ｈ２の上部全体を覆うように被せられる。
この時、コネクタ５５の一部は、導出箇所を通って第１のケース５７外に突出した状態となっている。
【０００９】
合成樹脂の成型品からなる第２のケース５８は、底壁５８ａと、この底壁５８ａの周囲から上方に延びる側壁５８ｂと、この側壁５８ｂの上端部において、コネクタ５５を外部に導出するための少なくとも導出箇所（図示せず）を除く合わせ部に設けられた突壁５８ｃと、内外に貫通して底壁５８ａに設けられた小孔５８ｄと、この小孔５８ｄを含んだ状態で底壁５８ａの外面に設けられた凹部５８ｅとを有する。
【００１０】
そして、この第２のケース５８は、コンバータ本体部Ｈ２の下部全体を覆うように被せられると共に、突壁５８ｃが接着剤５９を充填した溝部５７ｃ内に突入し、導出箇所を除く第１，第２のケース５７，５８の合わせ部が接着剤５９によって接着されて、密閉された状態となる。
【００１１】
この時、コネクタ５５の一部は、導出箇所を通って第２のケース５８外に突出した状態となるが、第１，第２のケース５７，５８の導出箇所は、コネクタ５５に取り付けたゴムパッキング等によって塞がれたり、或いは接着剤によって塞がれた状態となっている。
【００１２】
また、第２のケース５８が第１のケース５７に組み合わされた際、内部の空気が小孔５８ｄを通って外部に逃がした後の最後の工程で、接着剤５９によって小孔５８ｄが塞がれている。
なお、小孔５８ｄの箇所の見栄えを良くするために、凹部５８ｅにラベルを貼着して、小孔５８ｄを見えなくしている。
【００１３】
次に、従来の衛星放送受信用コンバータの組立方法を説明すると、先ず、第１のケース５７が図３，図４で示す状態から裏返した状態で冶具に保持され、この状態で、溝部５７ｃ内に接着剤５９を充填する。
【００１４】
次に、コネクタ５５にパッキングを取り付けた状態で、コンバータ本体部Ｈ２を第１のケース５７内に載置した後、第２のケース５８を第１のケース５７に合わせると、内部の空気が小孔５８ｄを通って外部に流出する。
これと同時に、突壁５８ｃが溝部５７ｃ内、及び接着剤５９内に突入して、合わせ部が塞がれる。
【００１５】
そして、小孔５８ｄは、内部が接着剤５９によって塞がれた際、内部の空気を逃がして、接着剤５９が溝部５７ｃ外に流出するのを防いでいる。
次に、溝部５７ｃ内の接着剤５９を乾燥して固化した後、最後の工程で、小孔５８ｄに接着剤５９を充填して小孔５８ｄを塞ぎ、接着剤５９を乾燥すると、その組立は完了する。
【００１６】
【発明が解決しようとする課題】
従来の衛星放送受信用コンバータは、溝部５７ｃと小孔５８ｄの２度にわたって接着剤５９の充填、乾燥を繰り返すため、その作業が面倒である上に、作業時間が多くかかって、作業効率が悪いという問題がある。
また、外部環境によってケースの内部が膨張、収縮するが、この時、小孔５８ｄの箇所の接着剤５９の強度が弱く、通気孔が生じて密閉状態が悪くなるという問題がある。
また、突壁５８ｃの先端部が平面状となっているため、突壁５８ｃが接着剤５９内に突入した時、接着剤５９が勢い良く押し出されて、接着剤５９が溝部５７ｃ外に流出するという問題がある。
【００１７】
そこで、本発明は作業効率が良く、長期にわたって密閉状態を維持できる衛星放送受信用コンバータを提供することを目的とする。
【００１８】
【課題を解決するための手段】
上記課題を解決するための第１の解決手段として、コネクタを設けたコンバータ本体部と、このコンバータ本体部を内部に密閉した状態で収納する第１，第２のケースとを備え、前記コネクタを外部に導出するための少なくとも導出箇所を除く前記第１，第２のケースの合わせ部において、前記第１，第２のケースの一方には溝部が設けられると共に、前記第１，第２のケースの他方には前記溝部内に突入する突壁が設けられ、前記溝部内に充填された接着剤よって前記突壁が前記溝部に接着されて、前記第１，第２のケースの内部を密閉状態にし、前記第１，第２のケースの少なくとも一方には、空気流出用の小孔と、この小孔の近傍に設けられた突部を有し、前記突部を熱変形させることによって前記小孔が塞がれた構成とした。
【００１９】
また、第２の解決手段として、前記突部が筒状部で形成された構成とした。
また、第３の解決手段として、前記突壁の先端部が楔状に形成された構成とした。
【００２０】
また、第４の解決手段として、前記溝部が前記第１のケースに形成されると共に、前記突壁が前記第２のケースに形成された構成とした。
また、第５の解決手段として、前記第１のケースは、前記第２のケース内に位置する側壁に複数の孔を有すると共に、前記第２のケースの側壁の内部には、複数の突起を有し、この突起が前記孔にスナップ係合するようにした構成とした。
【００２１】
【発明の実施の形態】
本発明の衛星放送受信用コンバータの図面を説明すると、図１は本発明の衛星放送受信用コンバータの正面図、図２は本発明の衛星放送受信用コンバータの要部の断面図である。
【００２２】
本発明の衛星放送受信用コンバータの構成を図１，図２に基づいて説明すると、金属板を折り曲げして形成された枠体１は、上下が開放したロ字状で構成されている。
金属板からなる蓋体２は、枠体１の一方の開放部を塞ぐように、枠体１に掛け止めして取り付けられている。
【００２３】
プリント基板からなる回路基板３は、一面側のほぼ全面にわたって形成された接地用パターン４を有すると共に、ここでは図示しないが、他面側に配線パターンが設けられ、この配線パターンには、種々の電気部品を搭載して所望の受信回路が形成されたものとなっている。
【００２４】
そして、このような回路基板３は、電気部品（受信回路）を枠体１内に位置した状態で、ロ字状の枠体１の他方の開放部を塞ぐように、枠体１に取り付けられる。
回路基板３が枠体１に取り付けられた際、接地用パターン４は枠体１から露出して、枠体１内をシールドし、その結果、受信回路は、枠体１，蓋体２，及び接地用パターン４によって電気的にシールドされた状態となっている。
【００２５】
同軸型のコネクタ５は、枠体１から外方に突出した状態で枠体１に取り付けられ、このコネクタ５には受信回路が接続されている。
フィードホーン６は、回路基板３から垂直状態で接地用パターン４に半田付けされて取り付けられおり、上記のような構成によってコンバータ本体部Ｈ１が形成されている。
【００２６】
そして、このようなコンバータ本体部Ｈ１は、衛星電波をフィードホーン６から受けて、受信回路で処理された信号をコネクタ５から取り出すようになると共に、このような構成のコンバータ本体部Ｈ１は、枠体１の内部の密閉度が悪く、このため、屋外で使用する際に雨等の防水を確実にする必要がある。
【００２７】
合成樹脂の成型品からなる第１のケース７は、上壁７ａと、この上壁７ａの周囲から下方に延びる側壁７ｂと、この側壁７ｂの下端部において、コネクタ５を外部に導出するための少なくとも導出箇所（図示せず）を除く合わせ部に設けられた溝部７ｃと、上壁７ａから垂直方向に突出し、内部が空洞となった膨出部７ｄと、溝部７ｃより内側に位置する側壁７ｂに設けられた複数の孔７ｅとを有する。
【００２８】
そして、この第１のケース７は、フィードホーン６を膨出部７ｄ内に収納した状態で、コンバータ本体部Ｈ１の上部全体を覆うように被せられる。
この時、コネクタ５の一部は、導出箇所を通って第１のケース７外に突出した状態となっている。
【００２９】
合成樹脂の成型品からなる第２のケース８は、底壁８ａと、この底壁８ａの周囲から上方に延びる側壁８ｂと、この側壁８ｂの上端部において、コネクタ５を外部に導出するための少なくとも導出箇所（図示せず）を除く合わせ部に設けられた先端部の尖った楔状の突壁８ｃと、内外に貫通して底壁８ａに設けられた小孔８ｄと、この小孔８ｄの外周に設けられた筒状の突部８ｅと、この突部８ｅを含んだ状態で底壁８ａの外面に設けられた凹部８ｆと、側壁８ｂの内面に設けられた複数の突起８ｇとを有する。
【００３０】
そして、この第２のケース８は、コンバータ本体部Ｈ１の下部全体を覆うように被せられると共に、突壁８ｃが接着剤９を充填した溝部７ｃ内に突入し、導出箇所を除く第１，第２のケース７，８の合わせ部が接着剤９によって接着されて、密閉された状態となる。
【００３１】
また、第１，第２のケース７，８が組み合わされた際、溝部７ｃの内側に位置する第１のケース７の側壁７ｂが第２のケース８の側壁８ｂ内に位置して、突起８ｇが孔７ｅ内にスナップ係合し、第２のケース８が第１のケース７に掛け止めされた構成となる。
【００３２】
この時、コネクタ５の一部は、導出箇所を通って第２のケース８外に突出した状態となるが、第１，第２のケース７，８の導出箇所は、コネクタ５に取り付けたゴムパッキング等によって塞がれたり、或いは接着剤によって塞がれた状態となっている。
【００３３】
また、第２のケース８が第１のケース７に組み合わされた際、内部の空気が小孔８ｄを通って外部に逃がした後の最後の工程で、突部８ｅが熱変形されて小孔８ｄが塞がれている。
なお、小孔８ｄの箇所の見栄えを良くするために、凹部８ｆにラベルを貼着して、小孔８ｄを見えなくしている。
【００３４】
次に、本発明の衛星放送受信用コンバータの組立方法を説明すると、先ず、第１のケース７が図１，図２で示す状態から裏返した状態で冶具に保持され、この状態で、溝部７ｃ内に接着剤９を充填する。
【００３５】
次に、コネクタ５にパッキングを取り付けた状態で、コンバータ本体部Ｈ１を第１のケース７内に載置した後、第２のケース８を第１のケース７に合わせると、内部の空気が小孔８ｄを通って外部に流出する。
これと同時に、突壁８ｃが溝部７ｃ内、及び接着剤９内に突入して、合わせ部が塞がれると共に、突起８ｇが孔７ｅにスナップ係合して、第２のケース８が第１のケース７に掛け止めされる。
【００３６】
そして、小孔８ｄは、内部が接着剤９によって塞がれた際、内部の空気を逃がして、接着剤９が溝部７ｃ外に流出するのを防いでいる。
次に、溝部７ｃ内の接着剤９を乾燥して固化した後、最後の工程で、加熱された冶具によって突部８ｅを熱変形させて、小孔８ｄを塞ぐと、その組立は完了する。
【００３７】
なお、この実施例では、第２のケース８に小孔８ｄと突部８ｅを設けたもので説明したが、小孔８ｄと突部８ｅを第１のケース７に設けても良い。
また、この実施例では、第１のケース７に溝部７ｃを、また、第２のケース８に突壁８ｃを設けたもので説明したが、第１のケース７に突壁を設け、第２のケース８に溝部を設けたものでも良い。
【００３８】
【発明の効果】
本発明の衛星放送受信用コンバータは、コネクタを設けたコンバータ本体部と、このコンバータ本体部を内部に密閉した状態で収納する第１，第２のケースとを備え、コネクタを外部に導出するための少なくとも導出箇所を除く第１，第２のケースの合わせ部において、第１，第２のケースの一方には溝部が設けられると共に、第１，第２のケースの他方には溝部内に突入する突壁が設けられ、溝部内に充填された接着剤よって突壁が溝部に接着されて、第１，第２のケースの内部を密閉状態にし、第１，第２のケースの少なくとも一方には、空気流出用の小孔と、この小孔の近傍に設けられた突部を有し、突部を熱変形させることによって小孔が塞がれた構成とした。
このように、突部を熱変形させることによって空気流出用の小孔が塞がれることによって、接着剤の充填と乾燥が１回で済み、作業時間が従来に比して短くできて、作業効率の良好なものが得られる。
また、外部環境によってケースの内部が膨張、収縮するが、この時、小孔の箇所が熱変形された突部で塞がれているため、従来の接着剤に比して強度が強く、長期にわたって、通気孔が生じない密閉状態を提供できる。
【００３９】
また、突部が筒状部で形成されたため、突部の熱変形を容易にできて、小孔の塞ぎを確実にできる。
【００４０】
また、突壁の先端部が楔状に形成されたため、接着剤内への突入時の接着剤の押し出しを少なくできて、溝部からの接着剤の流出を防止できる。
【００４１】
また、溝部が前記第１のケースに形成されると共に、突壁が第２のケースに形成されたため、第１のケースを上方に位置できて、溝部への水分の溜まりを無くすことができる。
【００４２】
また、第１のケースは、第２のケース内に位置する側壁に複数の孔を有すると共に、第２のケースの側壁の内部には、複数の突起を有し、この突起が孔にスナップ係合するようにしたため、第１，第２のケースの組合せが容易で、両者の結合を確実にできる。
【図面の簡単な説明】
【図１】本発明の衛星放送受信用コンバータの正面図。
【図２】本発明の衛星放送受信用コンバータの要部の断面図。
【図３】従来の衛星放送受信用コンバータの正面図。
【図４】従来の衛星放送受信用コンバータの要部の断面図。
【符号の説明】
１　枠体
２　蓋体
３　回路基板
４　接地用パターン
５　コネクタ
６　フィードホーン
Ｈ１　コンバータ本体部
７　第１のケース
７ａ　上壁
７ｂ　側壁
７ｃ　溝部
７ｄ　膨出部
７ｅ　孔
８　第２のケース
８ａ　底壁
８ｂ　側壁
８ｃ　突壁
８ｄ　小孔
８ｅ　突部
８ｆ　凹部
８ｇ　突起
９　接着剤
【図１】
2004014765.tif 000003
【図２】
2004014765.tif 000004
【図３】
2004014765.tif 000005
【図４】
2004014765.tif 000006